(57)【要約】【課題】冷蔵庫において、故障診断確認時の操作が容易でしかも故障診断を容易に且つ正確にできるようにすること。【解決手段】冷蔵庫は、貯蔵室を形成する冷蔵庫本体と、貯蔵室の前面開口を開閉する扉２５と、冷蔵庫の運転を操作する運転操作スイッチ３００、４００と、複数の運転状態を検出する検出手段６２、６３と、検出手段で検出した運転状態に基づいて冷蔵庫の運転を制御する制御装置６１と、検出手段で検出した運転状態を記憶する記憶手段７８と、通常運転モード時に冷蔵庫の運転状態を表示する複数の表示手段７６とを備える。制御装置６１は、検出手段６２、６３により検出された複数の運転状態を記憶手段７８に記憶させると共に、故障診断確認モード時に記憶手段７８に記憶した過去の同時期の複数の運転状態を複数の表示手段に同時に表示させるように制御する。【選択図】図８
2006300386.tif 000002
【特許請求の範囲】
【請求項１】
貯蔵室を形成する冷蔵庫本体と、
前記冷蔵庫本体の貯蔵室の前面開口を開閉する扉と、
冷蔵庫の運転を操作する運転操作スイッチと、
複数の運転状態を検出する検出手段と、
前記検出手段で検出した運転状態に基づいて冷蔵庫の運転を制御する制御装置と、
前記検出手段で検出した運転状態を記憶する記憶手段と、
通常運転モード時に冷蔵庫の運転状態を表示する複数の表示手段と、を備え、
前記制御装置は、
前記検出手段により検出された複数の運転状態を前記記憶手段に記憶させると共に、
故障診断確認モード時に前記記憶手段に記憶した過去の同時期の複数の運転状態を前記複数の表示手段に同時に表示させる、ように制御する
ことを特徴とする冷蔵庫。
【請求項２】
請求項１に記載の冷蔵庫において、
前記制御装置は、
前記扉の開状態と前記運転操作スイッチの操作とが複合したときに故障診断確認モードと判断して前記記憶手段に記憶した過去の同時期の複数の運転状態を前記複数の表示手段に同時に表示させる、ように制御する
ことを特徴とする冷蔵庫。
【請求項３】
請求項２に記載の冷蔵庫において、
前記冷蔵庫本体は温度または機能の異なる複数の貯蔵室を形成しており、
前記扉は前記複数の貯蔵室の前面開口をそれぞれ開閉するように複数設けられており、
前記制御装置は、
故障診断確認モード時における前記複数の扉の開状態に基づいて故障診断する貯蔵室を特定すると共に、
故障診断確認モード時に前記特定された貯蔵室に係る過去の同時期の複数の運転状態を前記複数の表示手段に同時に表示させる、ように制御する
ことを特徴とする冷蔵庫。
【請求項４】
請求項１から３の何れかに記載の冷蔵庫において、
前記検出手段は庫内温度を検出する温度検出手段で構成され、
前記表示手段はＬＥＤで構成され、
前記制御装置は、
前記温度検出手段により検出された庫内温度が予め設定された通常範囲から外れているか否かを判定し、その判定結果を前記記憶手段に記憶させると共に、
故障診断確認モード時に前記記憶手段に記憶されている判定結果を過去の運転状態として前記ＬＥＤの点灯或いは消灯として出力する、ように制御する
ことを特徴とする冷蔵庫。
【請求項５】
請求項１から３何れかに記載の冷蔵庫において、
前記検出手段は庫内温度を検出する温度検出手段及び扉開放時間若しくは扉開閉回数を検出する扉開閉検出手段を有して構成され、
前記表示手段は複数のＬＥＤで構成され、
前記制御装置は、
前記温度検出手段により検出された庫内温度情報及び前記扉開閉検出手段により検出された扉開放時間若しくは扉開閉回数が、予め設定された通常範囲から外れているか判定し、その判定結果を前記記憶手段に記憶させると共に、
故障診断確認モード時に前記記憶手段に記憶されている庫内温度情報及び扉開放時間若しくは扉開閉回数の判定結果を過去の運転状態として前記複数のＬＥＤの点灯或いは消灯として同時に出力する、ように制御する
ことを特徴とする冷蔵庫。
【請求項６】
請求項１から５の何れかに記載の冷蔵庫において、
貯蔵室内の温度を調節する温度調節器を備え、
前記制御装置は、故障診断確認モード時に前記温度調節器の操作に基づいて前記過去の運転状態の時間軸を設定される
ことを特徴とする冷蔵庫。
【発明の詳細な説明】
【技術分野】
【０００１】
本発明は、冷蔵庫に係り、特に冷蔵庫の故障診断を行うことができる冷蔵庫に好適なものである。
【背景技術】
【０００２】
従来のこの種の冷蔵庫としては、特開２００３−５００７０号公報（特許文献１）に示されたものがある。この冷蔵庫は、貯蔵室を形成する冷蔵庫本体と、冷蔵庫本体の貯蔵室の前面開口を開閉する扉と、冷蔵庫の運転を操作する運転操作スイッチと、複数の運転状態を検出する検出手段と、検出手段で検出した運転状態に基づいて冷蔵庫の運転を制御する制御装置と、検出手段で検出した運転状態を記憶する記憶手段と、通常運転モード時に冷蔵庫の運転状態を表示する表示手段と、を備えて構成されている。そして、制御装置は、検出手段により検出された複数の運転状態を記憶手段に記憶させると共に、故障診断確認モード時に記憶手段に記憶した過去の複数の運転状態を選択手段の繰返し操作によって順に表示手段に表示させるように制御するものである。
【０００３】
【特許文献１】特開２００３−５００７０号公報
【発明の開示】
【発明が解決しようとする課題】
【０００４】
しかし、上述した特許文献１の冷蔵庫では、故障診断確認モード時に記憶手段に記憶した過去の複数の運転状態を選択手段の繰返し操作によって順に表示手段に表示させるように制御するものであるため、故障診断を正確に行うことが難しいと共に、操作が煩わしく使い勝手に問題があった。すなわち、１つの運転状態のみで故障診断を正確に行うことは困難であるため、特許文献１に示されているように複数の運転状態を組み合わせて判断することが好ましいが、前の運転状態を正確に覚え現在の運転状態と組み合わせて故障診断を行うことは面倒で不正確になってしまい易かった。
【０００５】
本発明の目的は、故障診断確認時の操作が容易でしかも故障診断を容易に且つ正確にできる冷蔵庫を提供することにある。
【課題を解決するための手段】
【０００６】
前述の目的を達成するために、本発明は、貯蔵室を形成する冷蔵庫本体と、前記冷蔵庫本体の貯蔵室の前面開口を開閉する扉と、冷蔵庫の運転を操作する運転操作スイッチと、複数の運転状態を検出する検出手段と、前記検出手段で検出した運転状態に基づいて冷蔵庫の運転を制御する制御装置と、前記検出手段で検出した運転状態を記憶する記憶手段と、通常運転モード時に冷蔵庫の運転状態を表示する複数の表示手段と、を備え、前記制御装置は、前記検出手段により検出された複数の運転状態を前記記憶手段に記憶させると共に、故障診断確認モード時に前記記憶手段に記憶した過去の同時期の複数の運転状態を前記複数の表示手段に同時に表示させる、ように制御する構成にしたことにある。
【０００７】
係る本発明のより好ましい具体的な構成例は次の通りである。
（１）前記制御装置は、前記扉の開状態と前記運転操作スイッチの操作とが複合したときに故障診断確認モードと判断して前記記憶手段に記憶した過去の同時期の複数の運転状態を前記複数の表示手段に同時に表示させる、ように制御すること。
（２）前記冷蔵庫本体は温度または機能の異なる複数の貯蔵室を形成しており、前記扉は前記複数の貯蔵室の前面開口をそれぞれ開閉するように複数設けられており、前記制御装置は、故障診断確認モード時における前記複数の扉の開状態に基づいて故障診断する貯蔵室を特定すると共に、故障診断確認モード時に前記特定された貯蔵室に係る過去の同時期の複数の運転状態を前記複数の表示手段に同時に表示させる、ように制御する。
（３）前記検出手段は庫内温度を検出する温度検出手段で構成され、前記表示手段はＬＥＤで構成され、前記制御装置は、前記温度検出手段により検出された庫内温度が予め設定された通常範囲から外れているか否かを判定し、その判定結果を前記記憶手段に記憶させると共に、故障診断確認モード時に前記記憶手段に記憶されている判定結果を過去の運転状態として前記ＬＥＤの点灯或いは消灯として出力する、ように制御すること。
（４）前記検出手段は庫内温度を検出する温度検出手段及び扉開放時間若しくは扉開閉回数を検出する扉開閉検出手段を有して構成され、前記表示手段は複数のＬＥＤで構成され、前記制御装置は、前記温度検出手段により検出された庫内温度情報及び前記扉開閉検出手段により検出された扉開放時間若しくは扉開閉回数が、予め設定された通常範囲から外れているか判定し、その判定結果を前記記憶手段に記憶させると共に、故障診断確認モード時に前記記憶手段に記憶されている庫内温度情報及び扉開放時間若しくは扉開閉回数の判定結果を過去の運転状態として前記複数のＬＥＤの点灯或いは消灯として同時に出力する、ように制御すること。
（５）貯蔵室内の温度を調節する温度調節器を備え、前記制御装置は、故障診断確認モード時に前記温度調節器の操作に基づいて前記過去の運転状態の時間軸を設定されること。
【発明の効果】
【０００８】
本発明によれば、故障診断確認時の操作が容易でしかも故障診断を容易に且つ正確にできる冷蔵庫を提供することができる。
【発明を実施するための最良の形態】
【０００９】
以下、本発明の一実施の形態に係る冷蔵庫について、図１から図８を用いて説明する。
【００１０】
図１は本発明の一実施形態を示す冷蔵庫の斜視図である。図１に於いて、冷蔵庫本体２０は、上から順に、冷蔵室２１、野菜室２２、製氷室２３、冷凍室２４を夫々区画形成し、複数の貯蔵室を有している。扉２５〜２８は夫々の室２１〜２４の開口前面を開閉可能に閉鎖するように設けられている。扉２５の目視可能な位置に、冷蔵庫の運転状態を表示する複数の、例えば、ＬＥＤを内蔵した押しボタンタイプの運転操作スイッチ３００、４００、５００を有する表示パネル２００を設置してある。
【００１１】
本体基板３１は冷蔵庫の運転制御を行うものであり、中継基板３６は本体基板３１と表示パネル２００の裏面に設置した扉基板３７とを連絡するためのものである。庫内操作パネル４３は、冷蔵庫の庫内側に設けられ、庫内温度制御用のものである。
【００１２】
次に、図２及び図３を参照しながら説明する。図２は図１の平面図であり、図３は図２のＡ−Ａ断面図である。
【００１３】
読み出し用コネクタ３４は、外部からの水分や塵埃が読み出し用コネクタ３４に浸入しないように、扉２５を回転可能に軸支するヒンジ４２を覆うヒンジカバー４１内に、図３に示すようにコネクタ支持具３８により、取り外し可能に設置されている。また、ヒンジカバー４１を取り外さなくとも、読み出し用コネクタ３４に外部よりの接続端子が接続できるように、読み出し用コネクタ３４の前面に開口部４１ａが設けている。通常は、開口部４１ａを取り外し可能なコネクタカバー３５で閉鎖してある。配線３２は、本体基板３１と読み出し用コネクタ３４とを接続すると共に、中継基板３６とを接続している。
【００１４】
次に、図４を参照しながら説明する。図４は図１の表示パネル２００部の通常運転時の表示形態を説明する図である。
【００１５】
図４に於ける運転操作スイッチ３００、４００、５００の表示形態３０１、４０１、５０１は、通常運転モードで運転される通常運転時の表示形態を示すものである。冷蔵庫の通常運転時は、ＬＥＤ等の表示手段は全て消灯状態として設定してあり、運転操作スイッチ３００、４００、５００を操作した場合に、操作された運転操作スイッチ３００、４００、５００のＬＥＤが点灯してその表示形態３０１、４０１、５０１を表示し、同時に、設定された運転状態となるように構成されている。例えば、運転操作スイッチ３００のみを操作すると、その運転操作スイッチ３００のＬＥＤのみが点灯してその表示形態３０１を表示し、冷蔵室２１を急速に冷却する「急冷蔵」運転となるように構成されている。同様に、例えば、運転操作スイッチ５００のみを操作すると、その運転操作スイッチ５００のＬＥＤのみが点灯してその表示形態５０１を表示し、冷凍室２４を急速に冷却する「急冷凍」運転となるように構成されている。また、例えば、運転操作スイッチ３０１と４０１と５０１とを同時に操作すると、全ての運転操作スイッチ３０１、４０１、５０１のＬＥＤが点灯してその表示形態３０１、４０１、５０１を表示し、且つ、冷蔵室２１を急速に冷却する「急冷蔵」運転と、製氷室２３を急速に冷却して製氷を早める「急製氷」運転と、冷凍室２４を急速に冷却する「急冷凍」運転とが同時に運転されるように構成されている。
【００１６】
そして、上記いずれの運転中においても、例えば、運転操作スイッチ３００、４００、５００の何れかを通常使用時より長い時間押し続ける操作（以下「長押し操作」と表示する）と、扉２５、２７、２８の何れかの開状態との複合状態において、故障診断確認モードが設定され、前述した通常運転時の表示手段とは異なった「過去の運転状態」を、運転操作スイッチ３００、４００、５００の点灯もしくは消灯にて表示するように構成されている。なお、長押し操作のスイッチは、庫内操作パネルに設けられた運転操作スイッチ等（図示せず）でもよい。
【００１７】
次に、上述した「過去の運転状態」の表示例を図５を参照しながら説明する。図５は図１の表示パネル２００部の「過去の運転状態」の表示例（その１）を説明する図である。
【００１８】
図４にて説明した運転状態で運転している時に、運転操作スイッチ３００を通常使用時より長い時間、例えば５秒以上押し続ける「長押し操作」と、この「長押し操作」中に扉２５を開状態に保持する操作とを行った場合には、図４にて説明した運転操作スイッチ３００、４００、５００の表示形態３０１、４０１、５０１の意味が、図５（ａ）に示す「過去の運転情報」の表示形態３０２、４０２、５０２の意味に変わるように構成されている。つまり、運転操作スイッチ３００の表示形態３０２は、後述する「過去の運転情報」のうちの外気温度の判定を、その点灯若しくは消灯にて表示し、運転操作スイッチ４００の表示形態４０２は、後述する「過去の運転情報」のうちの冷蔵室温度の判定を、その点灯若しくは消灯にて表示し、運転操作スイッチ５００の表示形態５０２は、後述する「過去の運転情報」のうちの冷蔵室扉２５の開閉回数或いは冷蔵室扉２５の開放時間の判定を、その点灯若しくは消灯にて表示するように構成されている。
【００１９】
また、図４にて前述した運転状態において運転している時に、運転操作スイッチ４００を通常使用時より長い時間、例えば５秒以上押し続ける「長押し操作」と、この「長押し操作」中に扉２７を開状態に保持する操作とを行った場合には、図４にて前述した運転操作スイッチ３００、４００、５００の表示の意味が、図５（ｂ）に表示する「過去の運転情報」の表示形態３０３、４０３、５０３の意味に変わるように構成されている。つまり、例えば、運転操作スイッチ３００の表示形態３０３は、後述する「過去の運転情報」のうちの外気温度の判定を、その点灯若しくは消灯にて表示し、運転操作スイッチ４００の表示形態４０３は、後述する「過去の運転情報」のうちの製氷室温度の判定を、その点灯若しくは消灯にて表示し、運転操作スイッチ５００の表示形態５０３は、後述する「過去の運転情報」のうちの製氷室扉２７の開閉回数或いは製氷室扉２７の開放時間の判定を、その点灯若しくは消灯にて表示するように構成されている。
【００２０】
また、図４にて前述した運転状態において運転している時に、運転操作スイッチ５００を通常使用時より長い時間、例えば５秒以上押し続ける「長押し操作」と、扉２８を開状態に保持する操作とを同時に行った場合には、図４にて説明した運転操作スイッチ３００、４００、５００の表示の意味が図５（ｃ）に表示する「過去の運転情報」の表示形態３０４、４０４、５０４の意味に変わるように構成されている。つまり、例えば、運転操作スイッチ３００の表示形態３０４は、後述する「過去の運転情報」のうちの外気温度の判定を、その点灯若しくは消灯にて表示し、運転操作スイッチ４００の表示形態４０４は、後述する「過去の運転情報」のうちの冷凍室温度の判定を、その点灯若しくは消灯にて表示し、運転操作スイッチ５００の表示形態５０４は、後述する「過去の運転情報」のうちの冷凍室扉２８の開閉回数或いは冷凍室扉２８の開放時間の判定を、その点灯若しくは消灯にて表示するように構成されている。
【００２１】
なお、上述の通常運転時の表示形態とは異なった「過去の運転情報」の表示形態に変える手順において、運転操作スイッチ３０１、４０１、５０１ではなく、別の操作スイッチ例えば庫内操作パネルに設けられた操作スイッチ等（図示せず）でも良い。
【００２２】
また、「過去の運転情報」の表示形態の意味に変えた以降は、扉２５、２７、２８の開状態に応じて、表示内容をそれぞれ該当する扉の室の「過去の運転情報」に切替えることも可能なように構成されている。例えば、冷蔵室扉２５が開状態なら冷蔵室温度と冷蔵室扉開閉が表示されており、その状態で製氷室扉２７が開状態になったら製氷室温度と製氷室扉開閉に表示が切替わり、同様に冷凍室扉２８が開状態なら冷凍室温度と冷凍室扉開閉に表示を切替わり、各扉２５、２７、２８が同時に開状態の場合は、あらかじめ決めた優先度の高い室の表示を優先に行うように構成され、上述の例では冷凍室２４が最優先、次に製氷室２３、最も優先度が低いのが冷蔵室２１となっている。
【００２３】
次に、図６を参照しながら説明する。図６は図１の表示パネル２００部の「過去の運転情報」の表示例（その２）を説明する図である。この図６は、図１にて説明したＬＥＤを内蔵した押しボタンタイプの運転操作スイッチ３００、４００、５００の、ある条件下による種々な表示形態の意味を説明するものである。
【００２４】
図６（ａ）の表示形態３０５、４０５、５０５は、運転操作スイッチ３００、４００、５００の一例の表示状態を示すものであり、例えば、冷蔵庫の通常運転時は、ＬＥＤは全て消灯状態として設定してあり、運転操作スイッチ３００、４００、５００を操作した場合のみ、操作された運転操作スイッチのＬＥＤのみが点灯して、同時に、設定された運転状態となるように構成されている。
【００２５】
ここで、冷凍室扉２８を開放したままの状態で、図６（ａ）の表示形態５０５を５秒間「長押し操作」すると、図６（ａ）の表示形態３０５、４０５、５０５で表示していたときの意味と変わって、図６（ｂ）で例示する「過去の運転情報」の表示形態３０６、４０６、５０６の意味となるように構成されている。つまり、後述するように、予めプログラムされた冷蔵庫の種々な条件下での運転情報、或いは、同種冷蔵庫等の過去の運転情報の分析より得られた運転情報と比較し、通常データ以内であれば、例えば消灯として表示し、通常データから外れている場合は、例えば点灯若しくは点滅として表示するように構成されている。
【００２６】
更に、具体的説明をすれば、運転操作スイッチ３００の表示形態３０６は、「過去の運転情報」のうちの外気温度が、上述した通常データ以内であれば、例えば消灯として表示し、通常データから外れている場合は、例えば点灯若しくは点滅として表示するように構成されている。また、運転操作スイッチ４００の表示形態４０６は、「過去の運転情報」のうちの冷凍室温度が、上述した通常データ以内であれば、例えば消灯として表示し、通常データから外れている場合は、例えば点灯若しくは点滅として表示するように構成されている。また、運転操作スイッチ５００の表示形態５０６は、「過去の運転情報」のうちの冷凍室扉開閉回数或いは冷凍室扉開放時間が、上述した通常データ以内であれば、例えば消灯として表示し、通常データから外れている場合は、例えば点灯若しくは点滅として表示するように構成されている。
【００２７】
そして、例えば図６（ｂ）で例示した運転操作スイッチ４０６が点灯若しくは点滅している時に、運転操作スイッチ４０６を２０秒間「長押し操作」すると、図６（ｂ）の表示形態３０６、４０６、５０６の意味と変わって、図６（ｃ）で例示する「過去の運転情報」の表示形態３０７、４０７、５０７の意味となるように構成されている。つまり、例えば、運転操作スイッチ３００の表示形態３０７は、「過去の運転情報」のうちの圧縮機回転数が、上述した通常データ以内であれば、例えば消灯として表示し、通常データから外れている場合は、例えば点灯若しくは点滅として表示するように構成されている。また、運転操作スイッチ４００の表示形態４０７は、「過去の運転情報」のうちの庫内送風機回転数が、上述した通常データ以内であれば、例えば消灯として表示し、通常データから外れている場合は、例えば点灯若しくは点滅として表示するように構成されている。また、運転操作スイッチ５００の表示形態５０７は、「過去の運転情報」のうちの温度調節ダンパー開閉回数が、上述した通常データ以内であれば、例えば消灯として表示し、通常データから外れている場合は、例えば点灯若しくは点滅として表示するように構成されている。
【００２８】
次に、図７を参照しながら説明する。図７は図１の庫内操作パネル４３部の「過去の運転情報」の表示例（その３）を説明する図である。この図７は、図５及び図６にて説明した「過去の運転情報」の時間軸表示例を説明するものであり、図７（ａ）、（ｂ）は、冷蔵庫の庫内側に設けられて、冷蔵庫の庫内温度を制御するための庫内操作パネル４３の要部拡大説明図である。
【００２９】
図７（ａ）に於いて、操作スイッチ４４は、庫内温度を調節する温度調節器（図示せず）を操作するものであり、操作スイッチ４４に設けられたツマミ兼指示部４４ａを、庫内操作パネル４３の表示部４５ａに合わせることにより、予め設定された運転状態となるように構成されている。例えば、図７（ａ）に示すように、ツマミ兼指示部４４ａを、庫内操作パネル４３の表示部４５ａの「中」に合わせることにより、予め設定された冷蔵室温度が約３℃程度になるように、図示しない冷凍サイクルや庫内送風機を運転するように構成されている。
【００３０】
そして、図７（ａ）で示す運転中に、運転操作スイッチ３０１、４０１、５０１、または、庫内操作パネル４３に設けられた運転操作スイッチ等（図示せず）を通常使用時より長い時間押し続ける「長押し操作」と、扉２５、２７、２８を開状態する操作との複合操作の場合のみ、図７（ａ）で示す運転時の表示形態の意味とは異なった「過去の運転情報」の時間軸を表示するように構成されている。
【００３１】
かかる「過去の運転情報」の時間軸を表示する一例としては、例えば、図７（ａ）の「中」相当位置を、図７（ｂ）に示すように、３日前の「過去の運転情報」を表示し、例えば、図７（ａ）の「弱」相当位置を、図７（ｂ）に示すように、６日前の「過去の運転情報」を表示するように構成してある。
【００３２】
具体的には、例えば、図６（ｂ）で例示した運転操作スイッチ４００が点灯若しくは点滅している表示形態４０６の時に、図７（ｂ）に示す操作スイッチ４４のツマミ兼指示部を位置４４ｃから位置４４ｂ方向、或いは位置４４ｄ方向に回転することにより、例えば位置４４ｃでのみ運転操作スイッチ４００が点灯若しくは点滅し、位置４４ｃ以外では運転操作スイッチ４００が消灯している場合は、冷凍室２４の温度が、３日前の時に、上述した通常データから外れていたと言う、「過去の運転情報」が判るように構成されている。
【００３３】
また、その時に、図６で説明したように、例えば、点灯若しくは点滅している表示形態４０６の運転操作スイッチ４００を２０秒間「長押し操作」すると、図６（ｃ）で例示した「過去の運転情報」の時間軸表示となる。そして、例えば、図７（ｂ）に示す操作ダイアル４４のツマミ兼指示部を位置４４ｃから位置４４ｂ方向、或いは位置４４ｄ方向に回転することにより、例えば位置４４ｃでのみ図６（ｃ）に示す運転操作スイッチ３００が点灯若しくは点滅し、位置４４ｃ以外では運転操作スイッチ３００が消灯している場合には、圧縮機回転数が３日前の時に上述した通常データから外れていた為に、冷凍室温度が上述した通常データから外れてしまっていた、と言う「過去の運転情報」が判るように構成されている。
【００３４】
次に、図８を参照しながら冷蔵庫の制御に関して説明する。図８は図１の冷蔵庫の制御ブロック図である。なお、説明の簡明のために、図６にて説明した表示例を参照しながら説明する。
【００３５】
通常運転時は、図８に示す制御装置６１が、冷蔵室温度調節器６６、製氷室温度調節器６７、冷凍室温度調節器６８の指示に従って、且つ、外気温度検知手段６２、冷蔵室温度検知手段６３等の情報を監視しながら、それらの情報を判断して、駆動手段７５を通じて圧縮機９１や庫内送風機９２の回転数を制御し、或いは、温度調節ダンパー９３の開閉制御をして、予め設定された庫内温度を保持するように構成されている。
【００３６】
そして、その時、予め決められた設定時間毎に、外気温度検知手段６２や冷蔵室温度検知手段６３、製氷室温度検知手段６４、冷凍室温度検知手段６５、冷蔵室扉開閉検知手段６９、製氷室扉開閉検出手段７０、冷凍室扉開閉検知手段７１、圧縮機回転数検知手段７２等により検知された複数の運転情報を表わす運転情報と、機器の運転データ８２内に予めプログラムされた本冷蔵庫の種々な条件下での運転情報、或いは、同種冷蔵庫等の過去の運転情報の分析より得られた運転情報と、制御装置６１により比較し、通常データから外れているか、否か、を区分して制御装置６１により記憶手段７８に記憶させる構成にしてある。なお、記憶手段７８は、前記運転情報を電源オフ時にも記憶保持できるように構成してある。
【００３７】
また、記憶手段７８の記憶方式は、記憶手段７８の記憶容量があまり大きくならないように、温度そのものを記憶する方式でなく、前述した機器の運転データ８２に予めプログラムされた運転情報と比較して、通常データ以内であれば、例えば「０」として記憶し、通常データから外れている場合は、例えば「１」として記憶するように構成されている。具体的には、例えば、外気温度検知手段６２で検知された温度が５℃から３２℃は通常データ以内とし、例えば「０」として記憶し、外気温度検知手段６２で検知された温度が４℃以下あるいは３３℃以上は通常データから外れているとして、例えば「１」として記憶するように構成されている。また、例えば、冷蔵室温度検知手段６３で検知された温度が３℃から８℃は通常データ以内とし、例えば「０」として記憶し、冷蔵室温度検知手段６３で検知された温度が２℃以下あるいは９℃以上は通常データから外れているとして、例えば「１」として記憶するように構成されている。
【００３８】
また、例えば、圧縮機回転数検知手段７２で検知された回転数が、その時の外気温度検知手段６２での検知値や冷蔵室温度検知手段６３での検知値および図６（ａ）で前述した「急冷蔵」ボタンが操作されているか、否か、等の運転情報を加味したときに、上述した予めプログラムされた運転情報と比較して、通常データ以内であれば例えば「０」として入力し、通常データから外れている場合は、例えば「１」として記憶するように構成されている。
【００３９】
上述のように運転・記憶して、例えば数日間が経過した通常運転中に、例えば、冷凍室扉２８を開放したままの状態で、図６（ａ）の表示形態５０５の運転操作スイッチ５００を５秒間「長押し操作」すると、図８に示す冷凍室扉開閉検知手段７１の情報と、冷凍室温度調節器６８の情報とを制御装置６１が判断して、それまでに記憶手段７８に記憶した「過去の運転情報」を制御装置６１を経由して表示手段７６に伝え、表示手段７６の指示により急冷蔵表示ＬＥＤや急製氷表示ＬＥＤや急冷凍表示ＬＥＤが、「過去の運転情報」に従って点灯もしくは消灯モードとなる。点灯もしくは消灯モードの表示例としては、例えば、上述した通常データ以内、例えば「０」として記憶された「過去の運転情報」のときは、消灯とし、通常データから外れている、例えば「１」として記憶された「過去の運転情報」のときは点灯或いは点滅としても良く、或いは、その逆方式でも良い。
【００４０】
なお、この時は、制御装置６１の判断により、冷蔵温度調節器６６は、設定時間毎に記憶された過去の運転情報の時間軸を表わすように変更されているので、例えば、図７（ｂ）で説明したように、前記「過去の運転情報」の発生時間が判るようになる。
【００４１】
また、記憶手段７８に記憶された運転情報を、制御装置６１を経由して読み出し用コネクタ３４に出力できるように構成してあり、読み出し用コネクタ３４は、外部よりの接続端子が接続できるように、図２及び図３にて説明したように冷蔵庫天井面に設けてある。従って、万一、図１に示した運転操作スイッチ３００、４００、５００等が故障しても、読み出し用コネクタ３４に、故障診断機器等の外部機器を接続することにより、上述した過去の運転情報を読み取ることが出来るように構成してある。
【００４２】
以上説明したように、本発明は、故障診断用の機器を使用しないでも、その冷蔵庫の過去の運転情報がわかるので、故障診断が容易にできる冷蔵庫を提供できる。また、設定時間毎に記憶された過去の運転情報の時間軸として、冷蔵庫に使われている操作スイッチ等の目盛表示を利用したので、目盛表示が表わす過去の運転情報を、ＬＥＤ等の点灯或いは消灯として確認できるので、故障原因の究明が容易にできる冷蔵庫を提供できる。
【００４３】
表示形態の構成と機能及び効果を纏めると、次の通りである。
【００４４】
本実施形態によれば、運転状態を表示する表示手段と、該表示手段を制御する運転操作スイッチとを有する冷蔵庫において、運転情報を検知する検知手段と、記憶している運転情報データを電源オフ時にも記憶保持できる記憶手段と、前記検知手段により検知された運転情報を表わす運転情報データを前記記憶手段に記憶させる記憶制御手段とを有すると共に、前記扉の開状態と前記運転操作スイッチの操作とを複合させたときに、前記記憶手段に記憶した過去の運転情報データを、前記表示手段にて表示するようにしたので、故障診断用の機器を使用しないでも、その冷蔵庫の過去の運転情報がわかるので、工場に持ち帰ることなく、現地にて即時に故障診断が容易にできる冷蔵庫を提供できる。また、既存の表示手段および運転操作スイッチを利用したので、故障診断のための新たな部品を必要としないので、製造コスト上有利な冷蔵庫を提供できる。
【００４５】
また、冷蔵庫の運転状態を表示する複数の表示手段と、該表示手段を制御する複数の運転操作スイッチとを有する冷蔵庫において、検知手段により検知された複数の運転情報を表わす運転情報データを夫々記憶手段に記憶させる記憶制御手段を有すると共に、扉の開状態と前記運転操作スイッチの操作とを複合させたときに、前記記憶手段に記憶した過去の複数の運転情報データを、夫々同時に、前記複数の表示手段にて表示するようにしたので、故障診断用の機器を使用しないでも、その冷蔵庫の過去の複数の運転情報が、同時に判るので、故障診断が容易にできる冷蔵庫を提供できる。
【００４６】
また、運転情報データとして、温度検知手段により検知された庫内温度を表わすデータを、通常データから外れているか、否か、を区分けして記憶し、該記憶されたデータを過去の運転情報データとして、ＬＥＤ等の点灯或いは消灯として出力できるようにしたので、その冷蔵庫の過去の温度データが、通常データから外れているか、否か、が容易に判るので、該冷蔵庫の使われ方による故障原因の究明が容易にできる冷蔵庫を提供できる。また、表示手段が、ＬＥＤ等の点灯か消灯なので、目視し易い構造を提供できるので、故障診断等の誤診断の生じ難い方式を提供できる。
【００４７】
また、複数の運転情報データとして、温度検知手段により検知された庫内温度を表わすデータと、扉開閉検知手段により検知された扉開放時間若しくは扉開閉回数を表わすデータとを、通常データから外れているか、否か、を区分けして記憶し、該記憶されたデータを過去の運転情報データとして、複数のＬＥＤ等の点灯或いは消灯として同時に出力できるようにしたので、その冷蔵庫の扉開閉回数等の使われ方と庫内温度の関係がわかるので、故障原因の究明が容易にできる冷蔵庫を提供できる。
【００４８】
また、過去の運転情報データの時間軸として、冷蔵庫に使われている操作スイッチを利用したので、該操作スイッチが表わす過去の運転情報データを、ＬＥＤ等の点灯或いは消灯として確認できるので、故障原因の究明が容易にできる冷蔵庫を提供できる。また、既存の操作スイッチを利用したので、故障診断のための新たな部品を必要としないので、製造コスト上有利な冷蔵庫を提供できる。
【図面の簡単な説明】
【００４９】
【図１】本発明の一実施形態を示す冷蔵庫の斜視図である。
【図２】図１の平面図である。
【図３】図２のＡ−Ａ断面図である。
【図４】図１の表示パネル部の通常運転時の表示形態を説明する図である。
【図５】図１の表示パネル部の「過去の運転情報」の表示例（その１）を説明する図である。
【図６】図１の表示パネル部の「過去の運転情報」の表示例（その２）を説明する図である。
【図７】図１の庫内操作パネル部の「過去の運転情報」の表示例（その３）を説明する図である。
【図８】図１の冷蔵庫の制御ブロック図である。
【符号の説明】
【００５０】
２０…冷蔵庫本体、２１…冷蔵室、２２…野菜室、２３…製氷室、２４…冷凍室、２５…冷蔵室扉、２６…野菜室扉、２７…製氷室扉、２８…冷凍室扉、３１…本体基板、３２…配線、３４…読み出し用コネクタ、３５…コネクタカバー、３６…中継基板、３７…扉基板、３８…コネクタ支持具、４１…ヒンジカバー、４２…ヒンジ、４３…庫内操作パネル、４４…操作スイッチ、４４ａ…ツマミ兼指示部、４５ａ、４６ａ…庫内操作パネルの表示部、６１…制御装置、２００…表示パネル、３００、４００、５００…運転操作スイッチ。
【図１】
2006300386.tif 000003
【図２】
2006300386.tif 000004
【図３】
2006300386.tif 000005
【図４】
2006300386.tif 000006
【図５】
2006300386.tif 000007
【図６】
2006300386.tif 000008
【図７】
2006300386.tif 000009
【図８】
2006300386.tif 000010